(57)【要約】【課題】従来の低速サービスだけに対応可能な１Ｇ−ＯＮＵに高速サービスに対応する回路を追加することなく、１Ｇ−ＯＮＵを収容接続することができる光通信システム及び光加入者終端装置を得ることを目的とする。【解決手段】下りバッファ１３に蓄積されている下りデータ信号を時分割多重してデータ信号列を生成する際、下りデータ信号が速度１Ｇの下りデータ信号であれば、下りデータ信号の前方にアイドル信号を配置するように構成する。これにより、従来の低速サービスだけに対応可能な１Ｇ−ＯＮＵ３に高速サービスに対応する回路を追加することなく、１Ｇ−ＯＮＵ３を収容接続することができる。【選択図】図１
2008301233.tif 000002
【特許請求の範囲】
【請求項１】
ネットワークから下りデータ信号を受信し、上記下りデータ信号を格納するデータ信号格納手段と、上記データ信号格納手段に格納されている下りデータ信号を時分割多重してデータ信号列を生成する信号列生成手段と、上記信号列生成手段により生成されたデータ信号列を光信号に変換し、上記光信号を光ファイバに接続されている複数の加入者端末に送信する光信号送信手段とを備えた光加入者終端装置において、上記信号列生成手段は、上記データ信号格納手段に格納されている下りデータ信号を時分割多重してデータ信号列を生成する際、上記下りデータ信号が速度１Ｇの下りデータ信号であれば、上記下りデータ信号の前方にアイドル信号を配置することを特徴とする光加入者終端装置。
【請求項２】
信号列生成手段は、信号長が初期値のアイドル信号を配置し、速度１Ｇ用の加入者端末が正常に速度１Ｇの下りデータ信号を受信できなければ、上記アイドル信号の信号長を伸ばすことを特徴とする請求項１記載の光加入者終端装置。
【請求項３】
複数の加入者端末と光加入者終端装置が光ファイバで接続されている光通信システムにおいて、上記光加入者終端装置は、ネットワークから下りデータ信号を受信し、上記下りデータ信号を格納するデータ信号格納手段と、上記データ信号格納手段に格納されている下りデータ信号を時分割多重してデータ信号列を生成する信号列生成手段と、上記信号列生成手段により生成されたデータ信号列を光信号に変換し、上記光信号を上記複数の加入者端末に送信する光信号送信手段とを備え、上記信号列生成手段は、上記データ信号格納手段に格納されている下りデータ信号を時分割多重してデータ信号列を生成する際、上記下りデータ信号が速度１Ｇの下りデータ信号であれば、上記下りデータ信号の前方にアイドル信号を配置することを特徴とする光通信システム。
【請求項４】
信号列生成手段は、信号長が初期値のアイドル信号を配置し、速度１Ｇ用の加入者端末が正常に速度１Ｇの下りデータ信号を受信できなければ、上記アイドル信号の信号長を伸ばすことを特徴とする請求項３記載の光通信システム。
【発明の詳細な説明】
【技術分野】
【０００１】
この発明は、１つの光加入者終端装置（ＯＬＴ：Ｏｐｔｉｃａｌ  Ｌｉｎｅ  Ｔｅｒｍｉｎａｔｉｏｎ）と、複数の加入者端末（ＯＮＵ：Ｏｐｔｉｃａｌ  Ｎｅｔｗｏｒｋ  Ｕｎｉｔ）とが光ファイバで接続されている光通信システム（ＧＥ−ＰＯＮ：Ｇｉｇａ  ｂｉｔ  Ｅｔｈｅｒｎｅｔ（登録商標）―Ｐａｓｓｉｖｅ  Ｏｐｔｉｃａｌ  Ｎｅｔｗｏｒｋ）に関し、特に、低速ＯＮＵと高速ＯＮＵの双方に対応可能なＯＬＴに関するものである。
【背景技術】
【０００２】
従来のＧＥ−ＰＯＮシステムは、例えば、ＩＥＥＥ８０２．１ａｈに規定されている。
このＧＥ−ＰＯＮシステムでは、ＯＬＴがＯＮＵに送信する下りデータ信号は、下り伝送速度が１．２５Ｇｂｐｓの連続信号と規定されている。
一方、ＯＮＵがＯＬＴに送信する上りデータ信号は、上り伝送速度が１．２５Ｇｂｐｓのバースト信号によるＴＤＭ（Ｔｉｍｅ  Ｄｉｖｉｓｉｏｎ  Ｍｕｌｔｉｐｌｅｘｉｎｇ）と規定されている。
【０００３】
ここで、通信トラフィックの増加や大容量化を考慮すると、下り伝送速度の高速化を実現する必要がある。
例えば、従来のＧＥ−ＰＯＮシステムから、下り伝送速度が２．５Ｇｂｐｓの高速ＧＥ−ＰＯＮシステムへの移行が考えられるが、スムーズなサービス移行を実現するには、単に、高速サービスに対応可能な２Ｇ−ＯＬＴと２Ｇ−ＯＮＵの接続を可能にするだけでなく、従来の低速サービスに対応可能な１Ｇ−ＯＮＵの収容接続が必要となる。
【０００４】
例えば、以下の特許文献１に開示されているＧＥ−ＰＯＮシステムでは、ＯＬＴ及びＯＮＵの双方が、従来の低速サービスに対応する回路のほかに、高速サービスに対応する回路を新たに追加することにより、低速サービスと高速サービスの双方を実現するようにしている。
ただし、このＧＥ−ＰＯＮシステムでは、従来の低速サービスだけに対応可能な１Ｇ−ＯＮＵの収容接続が困難である。
従来の低速サービスだけに対応可能な１Ｇ−ＯＮＵは、クロック再生動作の安定化を図る手段を備えていないため、高速サービスに対応する回路を新たに追加しているＯＬＴから、高速信号と低速信号がＴＤＭ多重されているＴＤＭ信号を受信する際、境界以降の低速信号を安定的に受信することができないからである。
【０００５】
【特許文献１】特開平８−８９５４号公報（段落番号［００１２］から［００１３］、図１）
【発明の開示】
【発明が解決しようとする課題】
【０００６】
従来の光通信システムは以上のように構成されているので、全てのＯＬＴ及びＯＮＵが、従来の低速サービスに対応する回路のほかに、高速サービスに対応する回路を備えていれば、低速サービスと高速サービスの双方を実現することができる。しかし、高速サービスに対応する回路を備えていない従来の低速サービスだけに対応可能な１Ｇ−ＯＮＵは、クロック再生動作の安定化を図る手段を備えていないため、高速信号と低速信号がＴＤＭ多重されているＴＤＭ信号を受信する際、境界以降の低速信号を安定的に受信することができず、従来の低速サービスだけに対応可能な１Ｇ−ＯＮＵの収容接続が困難である課題があった。
【０００７】
この発明は上記のような課題を解決するためになされたもので、従来の低速サービスだけに対応可能な１Ｇ−ＯＮＵに高速サービスに対応する回路を追加することなく、１Ｇ−ＯＮＵを収容接続することができる光通信システム及び光加入者終端装置を得ることを目的とする。
【課題を解決するための手段】
【０００８】
この発明に係る光加入者終端装置は、信号列生成手段がデータ信号格納手段に格納されている下りデータ信号を時分割多重してデータ信号列を生成する際、下りデータ信号が速度１Ｇの下りデータ信号であれば、下りデータ信号の前方にアイドル信号を配置するようにしたものである。
【発明の効果】
【０００９】
この発明によれば、信号列生成手段がデータ信号格納手段に格納されている下りデータ信号を時分割多重してデータ信号列を生成する際、下りデータ信号が速度１Ｇの下りデータ信号であれば、下りデータ信号の前方にアイドル信号を配置するように構成したので、従来の低速サービスだけに対応可能な１Ｇ−ＯＮＵに高速サービスに対応する回路を追加することなく、１Ｇ−ＯＮＵを収容接続することができる効果がある。
【発明を実施するための最良の形態】
【００１０】
実施の形態１．
図１はこの発明の実施の形態１による光通信システムを示す構成図であり、図において、ＯＬＴ１は従来の低速サービスに対応する回路のほかに、高速サービスに対応する回路を備えている光加入者終端装置である。
２Ｇ−ＯＮＵ２は従来の低速サービスに対応する回路のほかに、高速サービスに対応する回路を備えている加入者端末である。
１Ｇ−ＯＮＵ３は従来の低速サービスに対応する回路のみを備えている公知の加入者端末である。
なお、ＯＬＴ１、２Ｇ−ＯＮＵ２及び１Ｇ−ＯＮＵ３は光ファイバ４によって接続されており、光ファイバ４は光カプラ５によって分岐されている。
【００１１】
図２はこの発明の実施の形態１によるＯＬＴを示す構成図であり、図において、イーサインタフェース回路１１，１２はネットワークに対するインタフェース処理を実施する回路であり、ネットワーク側とデータ信号を送受信する。
下りバッファ１３は速度１Ｇ用バッファと速度２Ｇ用バッファから構成されており、イーサインタフェース回路１１，１２がネットワークから下りデータ信号を受信すると、ＭＡＣ・ＰＯＮ制御部１５の指示の下、下りデータ信号を速度１Ｇ用バッファ又は速度２Ｇ用バッファに蓄積する。
なお、下りバッファ１３はデータ信号格納手段を構成している。
【００１２】
上りバッファ１４は速度１Ｇ用バッファであり、ＭＡＣ・ＰＯＮ制御部１５の指示の下、上りデータ信号を蓄積し、上りデータ信号をイーサインタフェース回路１１，１２に出力する。
ＭＡＣ・ＰＯＮ制御部１５は下りデータ信号におけるパケットのＭＡＣ情報にしたがって下りデータ信号の処理速度１Ｇ／２Ｇを指定して、イーサインタフェース回路１１，１２により受信された下りデータ信号を下りバッファ１３の速度１Ｇ用バッファ又は速度２Ｇ用バッファに振り分ける処理を実施するとともに、ＰＯＮ制御に必要な保守パケットなどを下りデータ信号のパケットに多重化する処理を実施する。また、ＰＯＮ制御に必要な保守パケットなどの処理を実施して、上りデータ信号を上りバッファ１４に蓄積する処理を実施する。
【００１３】
ＬＬＩＤ制御部１６はＭＡＣ・ＰＯＮ制御部１５により保守パケットなどが多重化されている下りデータ信号のパケットに、各ＯＮＵ（２Ｇ−ＯＮＵ２、１Ｇ−ＯＮＵ３）に対応する個別制御用パケットを多重化し、下りデータ信号のパケットを暗号化する処理を実施する一方、信号変換部１８から出力されたパラレル信号から各ＯＮＵに対応する個別制御用パケットを分離する処理を実施する。
１Ｇ−ＯＮＵ用アイドル生成部１７はＬＬＩＤ制御部１６から出力された下りデータ信号のパケットが、処理速度が１Ｇの下りデータ信号のパケットであれば、その下りデータ信号の前方にアイドル信号を配置する処理を実施する。
【００１４】
信号変換部１８はＭＡＣ・ＰＯＮ制御部１５の指示の下、下りデータ信号のパケットを速度１Ｇ又は速度２Ｇのシリアル信号（ＴＤＭ信号）に変換して、そのシリアル信号を光送信器１９に出力する一方、光受信器２０から出力されたシリアル信号を速度１Ｇのパラレル信号に変換して、そのパラレル信号をＬＬＩＤ制御部１６に出力する処理を実施する。
なお、ＭＡＣ・ＰＯＮ制御部１５、ＬＬＩＤ制御部１６、１Ｇ−ＯＮＵ用アイドル生成部１７及び信号変換部１８から信号列生成手段が構成されている。
【００１５】
光送信器１９は信号変換部１８から出力されたシリアル信号（ＴＤＭ信号）を電気／光変換して、光信号であるシリアル信号（ＴＤＭ信号）を波長多重部２１に出力する処理を実施する。
光受信器２０は波長多重部２１から出力されたシリアル信号（ＴＤＭ信号）を光／電気変換して、電気信号であるシリアル信号（ＴＤＭ信号）を信号変換部１８に出力する処理を実施する。
波長多重部２１は光送信器１９から出力された光信号を光ファイバ４にＷＤＭ多重して、その光信号を２Ｇ−ＯＮＵ２及び１Ｇ−ＯＮＵ３に送信する一方、光ファイバ４から光信号を波長分離して、その光信号を光受信器２０に出力する処理を実施する。
なお、光送信器１９及び波長多重部２１から光信号送信手段が構成されている。
【００１６】
図３はこの発明の実施の形態１による２Ｇ−ＯＮＵを示す構成図であり、図において、波長多重部３１は光ファイバ４から光信号を波長分離して、その光信号を光受信器３２に出力する一方、光送信器３３から出力された光信号を光ファイバ４にＷＤＭ多重して、その光信号をＯＮＵＴ１に送信する処理を実施する。
光受信器３２は波長多重部３１から出力されたシリアル信号（ＴＤＭ信号）を光／電気変換して、電気信号であるシリアル信号（ＴＤＭ信号）を信号変換部３４に出力する処理を実施する。
光送信器３３は信号変換部３４から出力されたシリアル信号（ＴＤＭ信号）を電気／光変換して、光信号であるシリアル信号（ＴＤＭ信号）を波長多重部３１に出力する処理を実施する。
【００１７】
信号変換部３４は光受信器３２から出力されたシリアル信号（ＴＤＭ信号）を速度２Ｇのパラレル信号に変換して、そのパラレル信号をＬＬＩＤ制御部３６に出力するとともに、そのシリアル信号から再生クロック信号を生成する処理を実施する。また、ＬＬＩＤ制御部３６から出力された速度１Ｇのパラレル信号をシリアル信号（ＴＤＭ信号）に変換して、そのシリアル信号を光送信器３３に出力する処理を実施する。
ＣＬＫ３５は信号変換部３４により生成された再生クロック信号から２Ｇ−ＯＮＵ２の各処理部に供給するクロックを生成する処理を実施する。
【００１８】
ＬＬＩＤ制御部３６は信号変換部３４から出力されたパラレル信号から自ＯＮＵに対応する個別制御用パケットを分離する処理を実施する一方、ＭＡＣ・ＰＯＮ制御部３７により保守パケットなどが多重化されている上りデータ信号のパケットに、自ＯＮＵに対応する個別制御用パケットを多重化し、上りデータ信号のパケットを暗号化する処理を実施する。
ＭＡＣ・ＰＯＮ制御部３７はＰＯＮ制御に必要な保守パケットなどの処理を実施して、下りデータ信号を下りバッファ３８に蓄積する処理を実施する一方、ＰＯＮ制御に必要な保守パケットなどを上りデータ信号のパケットに多重化する処理を実施する。
【００１９】
下りバッファ３８は速度２Ｇ用バッファであり、ＭＡＣ・ＰＯＮ制御部３７から出力された下りデータ信号を蓄積し、下りデータ信号をイーサインタフェース回路４０，４１に出力する。
上りバッファ３９は速度１Ｇ用バッファであり、イーサインタフェース回路４０，４１がユーザ側から上りデータ信号を受信すると、上りデータ信号を蓄積し、上りデータ信号をＭＡＣ・ＰＯＮ制御部３７に出力する。
イーサインタフェース回路４０，４１はユーザに対するインタフェース処理を実施する回路であり、ユーザ側とデータ信号を送受信する。
【００２０】
図３は２Ｇ−ＯＮＵ２の内部構成を示しているが、１Ｇ−ＯＮＵ３の内部構成も基本的には図３と同様である。
ただし、信号変換部３４、ＬＬＩＤ制御部３６及びＭＡＣ・ＰＯＮ制御部３７などが下りデータ信号を速度１Ｇで処理を実施する点で相違している。
【００２１】
次に動作について説明する。
最初に、ＯＬＴ１が下りデータ信号を２Ｇ−ＯＮＵ２及び１Ｇ−ＯＮＵ３に送信する際の処理内容を説明する。
ＯＬＴ１のイーサインタフェース回路１１，１２は、ネットワークから下りデータ信号を受信すると、その下りデータ信号を下りバッファ１３に出力する。
【００２２】
ＯＬＴ１のＭＡＣ・ＰＯＮ制御部１５は、イーサインタフェース回路１１，１２がネットワークから下りデータ信号を受信すると、下りデータ信号を下りバッファ１３の速度１Ｇ用バッファ又は速度２Ｇ用バッファに蓄積する。
即ち、ＭＡＣ・ＰＯＮ制御部１５は、下りデータ信号におけるパケットのＭＡＣ情報にしたがって下りデータ信号の処理速度１Ｇ／２Ｇを指定し、下りデータ信号の処理速度が１Ｇであれば、その下りデータ信号を下りバッファ１３の速度１Ｇ用バッファに蓄積させ、下りデータ信号の処理速度が２Ｇであれば、その下りデータ信号を下りバッファ１３の速度２Ｇ用バッファに蓄積させる。
また、ＭＡＣ・ＰＯＮ制御部１５は、ＰＯＮ制御に必要な保守パケットなどを下りデータ信号のパケットに多重化する。
【００２３】
ＯＬＴ１のＬＬＩＤ制御部１６は、ＭＡＣ・ＰＯＮ制御部１５が保守パケットなどを下りデータ信号のパケットに多重化すると、各ＯＮＵ（２Ｇ−ＯＮＵ２、１Ｇ−ＯＮＵ３）に対応する個別制御用パケットを下りデータ信号のパケットに多重化し、下りデータ信号のパケットを暗号化する。
【００２４】
ＯＬＴ１の１Ｇ−ＯＮＵ用アイドル生成部１７は、ＬＬＩＤ制御部１６から暗号化された下りデータ信号のパケットを受けると、下りデータ信号のパケットの処理速度が１Ｇであれば（処理速度を示す情報は、ＭＡＣ・ＰＯＮ制御部１５から通知を受ける）、１Ｇ−ＯＮＵ３の信号変換部（図３の信号変換部３４に相当する信号変換部）が安定的に再生クロック信号を生成することができるようにするため、図４に示すように、その下りデータ信号の前方にアイドル信号（１Ｇ成分のアイドルパターン）を配置する処理を実施する。
下りデータ信号のパケットの処理速度が２Ｇであれば、その下りデータ信号の前方にクロック抽出用のアイドル信号を配置する処理は実施しない。
ただし、パケットの処理速度が１Ｇであっても２Ｇであっても、有効な信号（ＭＡＣフレーム）の前後に数バイトのアイドル信号（クロック抽出用のアイドル信号ではないアイドル信号）が配置される。
【００２５】
ＯＬＴ１の信号変換部１８は、１Ｇ−ＯＮＵ用アイドル生成部１７から下りデータ信号のパケットを受けると、下りデータ信号のパケットの処理速度が１Ｇであれば（処理速度を示す情報は、ＭＡＣ・ＰＯＮ制御部１５から通知を受ける）、下りデータ信号のパケットを速度１Ｇのシリアル信号（ＴＤＭ信号）に変換して、そのシリアル信号を光送信器１９に出力する。
下りデータ信号のパケットの処理速度が２Ｇであれば、下りデータ信号のパケットを速度２Ｇのシリアル信号（ＴＤＭ信号）に変換して、そのシリアル信号を光送信器１９に出力する。
【００２６】
ＯＬＴ１の光送信器１９は、信号変換部１８からシリアル信号（ＴＤＭ信号）を受けると、そのシリアル信号（ＴＤＭ信号）を電気／光変換して、光信号であるシリアル信号（ＴＤＭ信号）を波長多重部２１に出力する。
ＯＬＴ１の波長多重部２１は、光送信器１９から光信号を受けると、その光信号を光ファイバ４にＷＤＭ多重して、その光信号を２Ｇ−ＯＮＵ２及び１Ｇ−ＯＮＵ３に送信する。
【００２７】
２Ｇ−ＯＮＵ２の波長多重部３１は、光ファイバ４から光信号を波長分離して、ＯＬＴ１から送信された光信号を光受信器３２に出力する。
１Ｇ−ＯＮＵ３の波長多重部（２Ｇ−ＯＮＵ２の波長多重部３１に相当）も、光ファイバ４から光信号を波長分離して、ＯＬＴ１から送信された光信号を光受信器に出力する。
【００２８】
２Ｇ−ＯＮＵ２の光受信器３２は、波長多重部３１から光信号を受けると、その光信号を光／電気変換して、電気信号であるシリアル信号（ＴＤＭ信号）を信号変換部３４に出力する。
１Ｇ−ＯＮＵ３の光受信器（２Ｇ−ＯＮＵ２の光受信器３２に相当）も、波長多重部から光信号を受けると、その光信号を光／電気変換して、電気信号であるシリアル信号（ＴＤＭ信号）を信号変換部に出力する。
【００２９】
２Ｇ−ＯＮＵ２の信号変換部３４は、光受信器３２からシリアル信号（ＴＤＭ信号）を受けると、そのシリアル信号（ＴＤＭ信号）を速度２Ｇのパラレル信号に変換して、そのパラレル信号をＬＬＩＤ制御部３６に出力するとともに、そのシリアル信号から再生クロック信号を生成する。
１Ｇ−ＯＮＵ３の信号変換部（２Ｇ−ＯＮＵ２の信号変換部３４に相当）は、光受信器からシリアル信号（ＴＤＭ信号）を受けると、そのシリアル信号（ＴＤＭ信号）を速度１Ｇのパラレル信号に変換して、そのパラレル信号をＬＬＩＤ制御部に出力するとともに、そのシリアル信号から再生クロック信号を生成する。
なお、シリアル信号（ＴＤＭ信号）に時分割多重されている速度１Ｇの下りデータ信号の前方には、アイドル信号が配置されているので、１Ｇ−ＯＮＵ３の信号変換部は、安定的に再生クロック信号を生成することができる。
【００３０】
２Ｇ−ＯＮＵ２のＣＬＫ３５は、信号変換部３４が再生クロック信号を生成すると、その再生クロック信号から２Ｇ−ＯＮＵ２の各処理部に供給するクロックを生成する。
１Ｇ−ＯＮＵ３のＣＬＫ（２Ｇ−ＯＮＵ２のＣＬＫ３５に相当）も、信号変換部が再生クロック信号を生成すると、その再生クロック信号から１Ｇ−ＯＮＵ３の各処理部に供給するクロックを生成する。
【００３１】
２Ｇ−ＯＮＵ２のＬＬＩＤ制御部３６は、信号変換部３４からパラレル信号を受けると、そのパラレル信号から自ＯＮＵに対応する個別制御用パケットを分離する。
１Ｇ−ＯＮＵ３のＬＬＩＤ制御部（２Ｇ−ＯＮＵ２のＬＬＩＤ制御部３６に相当）も、信号変換部からパラレル信号を受けると、そのパラレル信号から自ＯＮＵに対応する個別制御用パケットを分離する。
【００３２】
２Ｇ−ＯＮＵ２のＭＡＣ・ＰＯＮ制御部３７は、ＬＬＩＤ制御部３６が自ＯＮＵに対応する個別制御用パケットを分離すると、ＰＯＮ制御に必要な保守パケットなどの処理を実施して、パラレル信号である下りデータ信号を下りバッファ３８に蓄積する。
１Ｇ−ＯＮＵ３のＭＡＣ・ＰＯＮ制御部（２Ｇ−ＯＮＵ２のＭＡＣ・ＰＯＮ制御部３７に相当）も、ＬＬＩＤ制御部が自ＯＮＵに対応する個別制御用パケットを分離すると、ＰＯＮ制御に必要な保守パケットなどの処理を実施して、パラレル信号である下りデータ信号を下りバッファに蓄積する。
【００３３】
２Ｇ−ＯＮＵ２のイーサインタフェース回路４０，４１は、下りバッファ３８に蓄積されている下りデータ信号をユーザ側に出力する。
１Ｇ−ＯＮＵ３のイーサインタフェース回路（２Ｇ−ＯＮＵ２のイーサインタフェース回路４０，４１に相当）も、下りバッファに蓄積されている下りデータ信号をユーザ側に出力する。
【００３４】
なお、２Ｇ−ＯＮＵ２の信号変換部３４は、速度１Ｇの下りデータ信号を受信する際にも正常に動作すると考えられるが、後段のＬＬＩＤ制御部３６及びＭＡＣ・ＰＯＮ制御部３７は、速度１Ｇのデータ信号列を速度２Ｇで受信することになるため、データの識別が困難になり、結果的に、速度１Ｇの下りデータ信号は廃棄されることになる。
【００３５】
次に、２Ｇ−ＯＮＵ２及び１Ｇ−ＯＮＵ３が上りデータ信号をＯＬＴ１に送信する際の処理内容を説明する。
ただし、２Ｇ−ＯＮＵ２及び１Ｇ−ＯＮＵ３における上りデータ信号の処理内容は同一であるため、２Ｇ−ＯＮＵ２の処理内容を説明する。
【００３６】
２Ｇ−ＯＮＵ２のイーサインタフェース回路４０，４１は、ユーザ側から上りデータ信号を受信すると、その上りデータ信号を上りバッファ３９に蓄積する。
２Ｇ−ＯＮＵ２のＭＡＣ・ＰＯＮ制御部３７は、イーサインタフェース回路４０，４１が上りデータ信号を上りバッファ３９に蓄積すると、ＰＯＮ制御に必要な保守パケットなどを上りデータ信号のパケットに多重化する。
【００３７】
２Ｇ−ＯＮＵ２のＬＬＩＤ制御部３６は、ＭＡＣ・ＰＯＮ制御部３７が保守パケットなどを上りデータ信号のパケットに多重化すると、自ＯＮＵに対応する個別制御用パケットを上りデータ信号のパケットに多重化し、上りデータ信号のパケットを暗号化する。
２Ｇ−ＯＮＵ２の信号変換部３４は、ＬＬＩＤ制御部３６から上りデータ信号のパケットを受けると、上りデータ信号のパケットを速度１Ｇのシリアル信号（ＴＤＭ信号）に変換して、そのシリアル信号を光送信器３３に出力する。
【００３８】
２Ｇ−ＯＮＵ２の光送信器３３は、信号変換部３４からシリアル信号（ＴＤＭ信号）を受けると、そのシリアル信号（ＴＤＭ信号）を電気／光変換して、光信号であるシリアル信号（ＴＤＭ信号）を波長多重部３１に出力する。
２Ｇ−ＯＮＵ２の波長多重部３１は、光送信器３３から光信号を受けると、その光信号を光ファイバ４にＷＤＭ多重して、その光信号をＯＮＴ１に送信する。
【００３９】
ＯＮＴ１の波長多重部２１は、光ファイバ４から光信号を波長分離して、２Ｇ−ＯＮＵ２又は１Ｇ−ＯＮＵ３から送信された光信号を光受信器２０に出力する。
ＯＮＴ１の光受信器２０は、波長多重部２１から光信号を受けると、その光信号を光／電気変換して、電気信号であるシリアル信号（ＴＤＭ信号）を信号変換部１８に出力する。
【００４０】
ＯＮＴ１の信号変換部１８は、光受信器２０からシリアル信号（ＴＤＭ信号）を受けると、そのシリアル信号（ＴＤＭ信号）を速度１Ｇのパラレル信号に変換して、そのパラレル信号をＬＬＩＤ制御部１６に出力する。
ＯＮＴ１のＬＬＩＤ制御部１６は、信号変換部１８からパラレル信号を受けると、そのパラレル信号から各ＯＮＵ（２Ｇ−ＯＮＵ２、１Ｇ−ＯＮＵ３）に対応する個別制御用パケットを分離する。
【００４１】
ＯＮＴ１のＭＡＣ・ＰＯＮ制御部１５は、ＬＬＩＤ制御部１６が各ＯＮＵ（２Ｇ−ＯＮＵ２、１Ｇ−ＯＮＵ３）に対応する個別制御用パケットを分離すると、ＰＯＮ制御に必要な保守パケットなどの処理を実施して、パラレル信号である上りデータ信号を上りバッファ１４に蓄積する。
ＯＮＴ１のイーサインタフェース回路１１，１２は、上りバッファ１４に蓄積されている上りデータ信号をネットワーク側に送信する。
【００４２】
以上で明らかなように、この実施の形態１によれば、下りバッファ１３に蓄積されている下りデータ信号を時分割多重してデータ信号列を生成する際、下りデータ信号が速度１Ｇの下りデータ信号であれば、下りデータ信号の前方にアイドル信号を配置するように構成したので、従来の低速サービスだけに対応可能な１Ｇ−ＯＮＵ３に高速サービスに対応する回路を追加することなく、１Ｇ−ＯＮＵ３を収容接続することができる効果を奏する。
【００４３】
実施の形態２．
上記実施の形態１では、ＯＬＴ１の１Ｇ−ＯＮＵ用アイドル生成部１７が、下りデータ信号のパケットの処理速度が１Ｇであれば、その下りデータ信号の前方にアイドル信号（１Ｇ成分のアイドルパターン）を配置するものについて示したが、この実施の形態２では、必要に応じて、アイドル信号の信号長を調整するものについて説明する。
図５はこの発明の実施の形態２によるＯＬＴの処理内容を示すフローチャートである。
【００４４】
ＯＬＴ１の１Ｇ−ＯＮＵ用アイドル生成部１７は、未登録の１Ｇ−ＯＮＵ３が光ファイバ４に接続されると、下りデータ信号の前方に配置するアイドル信号の信号長（アイドルパターン長）をデフォルト値に設定する（ステップＳＴ１）。
ＯＬＴ１は、１Ｇ−ＯＮＵ用アイドル生成部１７がアイドル信号の信号長をデフォルト値に設定すると、未登録の１Ｇ−ＯＮＵ３を起動し（ステップＳＴ２、ＳＴ３）、上記実施の形態１と同様にして、アイドル信号を配置している速度１Ｇの下りデータ信号を時分割多重しているＴＤＭ信号を未登録の１Ｇ−ＯＮＵ３に送信する。
【００４５】
ＯＬＴ１は、未登録の１Ｇ−ＯＮＵ３がＴＤＭ信号を正常に受信することができていれば（正常に受信できているか否かは、例えば、１Ｇ−ＯＮＵ３から返信されるＡｃｋ／Ｎａｃ信号により判別することができる）、以降、１Ｇ−ＯＮＵ３が停止されるまで（ステップＳＴ４）、信号長がデフォルト値のアイドル信号を配置して、ＴＤＭ信号を送信するようにする。
【００４６】
ＯＬＴ１の１Ｇ−ＯＮＵ用アイドル生成部１７は、未登録の１Ｇ−ＯＮＵ３がＴＤＭ信号を正常に受信することができていない場合、現在のアイドル信号の信号長が規定値（最大値）に達していなければ（ステップＳＴ５）、アイドル信号の信号長を前回より長い値に再設定する（ステップＳＴ６）。
ＯＬＴ１は、１Ｇ−ＯＮＵ用アイドル生成部１７がアイドル信号の信号長を再設定すると、未登録の１Ｇ−ＯＮＵ３を再起動し（ステップＳＴ２、ＳＴ３）、上記のアイドル信号を配置している速度１Ｇの下りデータ信号を時分割多重しているＴＤＭ信号を未登録の１Ｇ−ＯＮＵ３に送信する。
【００４７】
ＯＬＴ１の１Ｇ−ＯＮＵ用アイドル生成部１７は、未登録の１Ｇ−ＯＮＵ３がＴＤＭ信号を正常に受信することができていない場合、再度、アイドル信号の信号長を前回より長い値に再設定するが、現在のアイドル信号の信号長が規定値（最大値）に達していれば（ステップＳＴ５）、一旦、１Ｇ−ＯＮＵ３を任意時間放置してから（ステップＳＴ７）、起動動作を再開させるようにする。
【００４８】
以上で明らかなように、この実施の形態２によれば、信号長が初期値のアイドル信号を配置し、速度１Ｇ用の１Ｇ−ＯＮＵ３が正常に速度１Ｇの下りデータ信号を受信できなければ、そのアイドル信号の信号長を伸ばすように構成したので、アイドル信号の信号長の適正化を図ることができるようになり、効率の良い運用を実現することができる効果を奏する。
【図面の簡単な説明】
【００４９】
【図１】この発明の実施の形態１による光通信システムを示す構成図である。
【図２】この発明の実施の形態１によるＯＬＴを示す構成図である。
【図３】この発明の実施の形態１による２Ｇ−ＯＮＵを示す構成図である。
【図４】下りデータ信号の前方に配置するアイドル信号を示す説明図である。
【図５】この発明の実施の形態２によるＯＬＴの処理内容を示すフローチャートである。
【符号の説明】
【００５０】
１  ＯＬＴ（光加入者終端装置）、２  ２Ｇ−ＯＮＵ（加入者端末）、３  １Ｇ−ＯＮＵ（加入者端末）、４  光ファイバ、５  光カプラ、１１，１２  イーサインタフェース回路、１３  下りバッファ（データ信号格納手段）、１４  上りバッファ、１５  ＭＡＣ・ＰＯＮ制御部（信号列生成手段）、１６  ＬＬＩＤ制御部（信号列生成手段）、１７  １Ｇ−ＯＮＵ用アイドル生成部（信号列生成手段）、１８  信号変換部（信号列生成手段）、１９  光送信器（光信号送信手段）、２０  光受信器、２１  波長多重部（光信号送信手段）、３１  波長多重部、３２  光受信器、３３  光送信器、３４  信号変換部、３５  ＣＬＫ、３６  ＬＬＩＤ制御部、３７  ＭＡＣ・ＰＯＮ制御部、３８  下りバッファ、３９  上りバッファ、４０，４１  イーサインタフェース回路。
【図１】
2008301233.tif 000003
【図２】
2008301233.tif 000004
【図３】
2008301233.tif 000005
【図４】
2008301233.tif 000006
【図５】
2008301233.tif 000007